(57)【要約】      （修正有）【課題】ダイス表面の背景部の色彩によって出目は０から９の内の何れかの数に該当するのかを識別出来る形態にすることにより楽しい盤上遊戯として活用できる正十二面体十二色カラーダイスゼロナインを提供する。【解決手段】従来の絵文字や算用数字に代えて十二色に色分けされた強化プラスチック等を正十二面体に組み合わせたり正十二面体に成形された無地の木材等に彩色を施すことにより達成される。【選択図】図２
0003234533.tif 000002
【実用新案登録請求の範囲】
【請求項１】
対面が平行となる正十二面体に一面一色で彩色が施され判別可能な各面はジョーカーとエキストラジョーカーを除いて対面の色番号（ランク）の合計数が９になるように組み合わせられた正十二面体十二色カラーダイスゼロナイン。
【請求項２】
色番号（ランク）は覚えやすい季節の色など月数と関連して組み合わせられた正十二面体十二色カラーダイスゼロナイン。
【請求項３】
赤色、乳白色、橙色、桃色、黄色、紫色、緑色、黒色、銀色、茶色、藍色、薄紫色の１２個の正五角形を組み合わせられた正十二面体十二色カラーダイスゼロナイン。
【考案の詳細な説明】
【技術分野】
【０００１】  本考案はダイスの出目を表す絵文字や算用数字に代えて十二面の背景色から色番号（ランク）を確定して新しい感覚で盤上ゲームを堪能出来ることを目的とする正十二面体十二色カラーダイスゼロナインに関するものである。
【背景技術】
【０００２】  従来の一般的で伝統的なダイスの形状は正六面体で一から六までの絵文字が表示されている。最近では多面体のダイスも登場して狭い空間に算用数字がびっしりと表示されていることから乱雑であることは歪めず改善が望まれていた。
【先行技術文献】
【考案の概要】
【考案が解決しようとする課題】
【０００３】  上述した問題点に鑑み本考案の目的はダイス表面の絵文字や算用数字から天井部の数を識別するのではなく背景部の色彩によって出目は０から９の内の何れかの数に該当するのかを識別出来る形態にすることにより宝くじの当選番号を決定したりあるいはじゃんけん替わりに用いたり楽しい盤上遊戯として活用できる正十二面体十二色カラーダイスゼロナインを提供することを目的としている。
【問題を解決するための手段】
【０００４】  上記目的は、従来の絵文字や算用数字に代えて十二色に色分けされた強化プラスチック等を正十二面体に組み合わせたり又は正十二面体に成形された無地の木材等に彩色を施すことにより達成される。
【０００５】  実用品としては上記の強化プラスチックや木材を主材料とする。安全に公平に転がることが求められることから正十二面体は最適である。鑑賞用としては十二色の人工サファイアの組み合わせ等も考えられる。
【考案の効果】
【０００６】  多くの人々にとって色彩感覚というものはあまり使われないものである。あまり使われない感覚を刺激することは脳の活性化にも役立つ。病院のリハビリ科などでの活用も期待できる。またもちろん従来の双六や回り将棋にも利用出来る。
【図面の簡単な説明】
【０００７】
【図１】正十二面体十二色カラーダイスゼロナインを展開した図面である。
【図２】付属品となる色番号を表す図である。
【考案を実施するための形態】
【０００８】  以下、添付図面に基づいて本考案の実施形態について説明する。
【０００９】  本考案の正十二面体十二色カラーダイスゼロナインは十二色に彩色されたプラスチックの組み合わせ又は無地の正十二面体に成形された木材やプラスチック等を判別可能な十二色に着色させて造る。展開図には接続した十二個の正五角形があり一面だけに算用数字の０の記載された五角形あります。ここを起点に説明します。
【００１０】  ランク０、算用数字と漢数字の零からは飛行機の日の丸が想起出来る。よって背景色は赤色（レッド）とする。
【００１１】  ランク１、展開図においてランク０に接している何れかの正五角形をランク１に設定します。人間において一歳は乳幼児である。よって背景色は乳白色（ミルキーホワイト）とする。
【００１２】  ランク２、定位置は左回り（反時計回り）でランク１の隣になります。数字の２で始まる言葉を考えますと色鮮やかな橙色の人参が目に浮かびます。よって背景色は橙色（オレンジ）とする。
【００１３】  ランク３、季節も三月になれば梅や桃や桜などが咲き始める。よって背景色は桃色（ピンク）とする。
【００１４】  ランク４、季節も四月になれば山吹やツツジなど黄色い花も咲き始める。よって背景色は黄色（イエロー）とする。
【００１５】  ランク無し、ランクは０から９までの１０ランクとする。ランク４の左隣（反時計回り）はトランプで言えばジョーカーのようなものにする。よって背景色は不気味な感じのする紫色（パープル）とする。
【００１６】  ランク５、定位置は展開図を組み立てた場合にはランク４と平行状に対面となり対面するランクの合計数は９になります。季節も五月になれば山々は緑一色である。よって背景色は緑色（グリーン）とする。
【００１７】  ランク６、定位置は展開図を組み立てた場合にはランク３と平行状に対面となり対面するランクの合計数は９になります。季節も六月になれば空はどんよりとして足元を見れば黒い長靴が目につきます。よって背景色は黒色（ブラック）とする。
【００１８】  ランク７、定位置は展開図を組み立てた場合にはランク２と平行状に対面となり対面するランクの合計数は９になります。季節も七月になれば各地で七夕祭りがありキラキラ模様になります。よって背景色は銀色（シルバー）とする。
【００１９】  ランク８、定位置は展開図を組み立てた場合にはランク１と平行状に対面となり対面するランクの合計数は９になります。算用数字の８の形状に似ているもとして落花生（ピーナッツ）があります。殻は薄茶色で皮のついた実は焦げ茶色である。よって背景色は茶色（ブラウン）とする。
【００２０】  ランク９、定位置は展開図を組み立てた場合にはランク０と平行状に対面となり対面するランクの合計数は９になります。ランク０を地上面と見た場合には天井面になります。天を見上げると多くの人は紺碧の空を理想とします。よって背景色は藍色（ジャパンブルー）とする。
【００２１】  ランク無し、定位置は展開図を組み立てた場合にはジョーカーと平行状に対面します。これをエキストラジョーカーとする。よって背景色は少しだけ不気味な感じのする薄紫色（ライトパープル）とする。以上が正十二面体十二色カラーダイスゼロナインの組み合わせになります。
【００２２】  図２は正十二面体十二色カラーダイスゼロナインの付属品となる色番号表になります。
【図１】
0003234533.tif 000003
【図２】
0003234533.tif 000004
【手続補正書】
【提出日】令和3年7月3日(2021.7.3)
【手続補正１】
【補正対象書類名】実用新案登録請求の範囲
【補正対象項目名】全文
【補正方法】変更
【補正の内容】
【実用新案登録請求の範囲】
【請求項１】
対面が平行となる正十二面体に一面一色で彩色が施され判別可能な各面はジョーカーとエキストラジョーカーを除いて対面の色番号（ランク）の合計数が９になるように組み合わせられた正十二面体十二色カラーダイスゼロナイン。
【請求項２】
色番号（ランク）は覚えやすい季節の色など月数と関連して組み合わせられた請求項１記載の正十二面体十二色カラーダイスゼロナイン。
【請求項３】
赤色、乳白色、橙色、桃色、黄色、紫色、緑色、黒色、銀色、茶色、藍色、薄紫色の１２個の正五角形を組み合わせられた請求項１又は請求項２記載の正十二面体十二色カラーダイスゼロナイン。